(57)【特許請求の範囲】
【請求項１】
略板状にして方形とした表示体支持部と、前記表示体支持部の対向する一組の辺部それぞれに折り部を介して連接され、相互に重ね合わされて表示体支持部の背面側に重ねられる一対の回動板とを備える表示体支持装置であって、
一対の回動板の内の一方の回動板に、スリットの切り込みにより前記折り元側とは反対側に向けて凸の切り起こし片が設けられているとともに、他方の回動板に、前記一方の回動板の切り起こし片の起こしにより形成される開口部に差し入れられて開口縁に係止可能な係止部が設けられていて、
前記開口部に係止部が移動可能に係止して一対の回動板が表示体支持部の背面側で起伏可能とされ、表示体支持部の背面側から起こされて係合し合う一対の回動板で、表示体支持部を後傾状態で支持可能に設けられている表示体支持装置において、
前記一方の回動板における切り起こし片を切り込み形成するスリットは、折り元側から反対側に向けて直線とした平行な二条の第一スリットと、この第一スリットそれぞれの折り元側とは反対側の端部に連続して第一スリットと直角となる第二スリットとにより略コ字形状とされ、
前記他方の回動板における係止部の両端には、係止部基端の両側に切り欠き状の凹み部を設けて、前記第一スリットに対応する位置の開口縁に移動可能に係止する張り出し片が形成され、前記凹み部の対向間隔である係止部基端の幅寸法が、前記第一スリットの対向間隔より小とされているとともに、張り出し片位置での係止部の幅寸法が前記第一スリットの対向間隔より大とされていて、
前記第一スリットそれぞれの折り元側の端部に、第一スリットの対向方向とは反対方向にスリットを延長してなる延長部が設けられていて、該延長部の外側端間の幅寸法が、前記張り出し片位置の係止部の幅寸法より大とされていて、
この延長部は、延長部のスリットの開きにより張り出し片が該延長部を通過する隙間が形成可能とされ、かつ前記張り出し片が前記隙間を通過した後にこの延長部のスリットが閉じられるものであり、
一対の回動板が重ね合わされているときの前記張り出し片の位置が前記スリットが閉じた延長部の近傍での折り元側とされて、前記張り出し片と前記延長部とが離間していることを特徴とする表示体支持装置。
【請求項２】
上記表示体支持部は、枠形状の正面板とこの正面板の背面に相対して表示体支持部の背面となる背面板とからなり、前記正面板の対向する一組の辺部それぞれに上記回動板が折り部を介して連接され、正面板の他の一組の辺部の一方の辺部に前記背面板が折り部を介して連接されていて、前記背面板が一対の回動板の少なくとも折り元側に接して、該背面板の後方への倒れ込みが規制されている請求項１に記載の表示体支持装置。
【発明の詳細な説明】
【技術分野】
【０００１】
本発明は、小型のカレンダーやＰＯＰ広告体などの表示体を支持させて、これらをテーブルや机の上などに配置できるようにする表示体支持装置に関するものであり、特に手作業で立位した状態が簡単に得られる表示体支持装置に関するものである。
【背景技術】
【０００２】
従来からテーブルや机の上に乗せ置くことのできる小型のカレンダーにあっては、葉書大、或いは葉書大よりやや大きい紙材に月ごとの日付を印刷した用紙を複数枚重ね合わせ、これを支持装置に抜き差し可能に保持させるとともに、支持装置自体は背面などに脚部材を組み起こして後傾状態で立位できるようにしたものが多く流通している。そして、支持装置を後傾させる脚部の仕組みとしては、例えば、特許文献１に示されているように、カレンダーを印刷した複数枚の印刷物を受ける支持装置本体の背面に、その背面から倒し込みで斜め下方に向けることのできる脚板を配するとともに、その脚板の傾斜状態を維持するための係止部材も支持装置本体の背面側に配し、倒し込んだ脚板に対して支持装置本体側から係止部材を渡して係止させて、脚板の傾斜状態が固定的となるようにし、これによって支持装置が後傾するようにした構造を備えるものがある。
【０００３】
また、同様の目的に使用される脚部の構造として、特許文献２に示されるものがある。この脚部の構造にあっては、各種の印刷物を支えるための傾斜板の背面にその背面上部側から垂れ下がるようにして脚板を引き起こし可能にして配するとともに、前記傾斜板の背面の下部側を取付部分として引き倒しにより前記脚板に渡るようにした係止板を配している。そして、脚板と係止板との相互の重ね合わせで傾斜板の背面側に重なるようにし、係止板の引き起こしによって脚板が押されながら起きるようにしている。さらに、脚板が起こされる過程で、係止板の係止部分が、前記脚板に対して切り込み形成された可撓部位を押し込み、その可撓部位の先端に対応するようにして切り欠いてなる開口部分に前記係止板の係止部が対応位置し、その係止部が開口部分の開口縁に係止するとともに、撓んでいた可撓部位が係止部から外れてその係止部分に乗って押さえ込みすることで、脚板と係止板との係合関係が固定的となるようにしたものであった。
【先行技術文献】
【特許文献】
【０００４】
【特許文献１】特開２０００−１２７６５０号公報
【特許文献２】特許第３１８６７３６号公報
【発明の概要】
【発明が解決しようとする課題】
【０００５】
しかしながら、上述した従来の表示体支持装置では、印刷物を預け支持させる部分である装置本体の背面に対して脚を構成するための部材を取り付けた構造となっているものであるため、装置を作成する際に手間を要して製造コストの低減化が図り難いという問題があった。また、脚部分を組み上げるに際しても、前者のものでは脚板と係止部材とをそれぞれ折り起こす操作をし、倒し込んだ脚板の開口に係止部材を差し入れてから、その開口に形成されて切り欠き状の落とし込み部分に係止部材を落とし込んで係止させる手順が必要である。
【０００６】
また、後者のものにあっても前者と同様に、脚板と係止板とを起こすまでは脚板と係止板とが係合している状態のものとはなっておらず、可撓部分の表面を係止板の係止部が当接した状態で移動するとしても、単に係止部の摺接移動だけであって、必ず係止板の係止部が開口部分に入り込むとは期待できないものとなっている。そのため、係止板を早急に引き起こすような操作をしてしまうと、その係止部が開口部に入り込まずにその位置を通り過ぎてしまって、脚板と係止板との係合を改めて手作業で行なう必要が生じることとなる。
【０００７】
また、組み上げられた脚部分を扁平に戻す場合、前者のものでは、脚板の開口から係止部材を抜き外す必要があって、再度、脚部分を組み起こすには同様の手順を踏んで脚板と係止部材とを係合させるものとなる。そして、後者のものにあっても、脚板と係止板とが係合して組まれている脚部分を扁平にするには、一旦、可撓部分を外方に反らせた状態にして係止板を開口部から外すこととなり、扁平にする際の操作が難しくなるという問題もあった。
【０００８】
そこで本発明は上述した事情に鑑み、脚部とする部分の組み起こしと扁平にするために脚部を倒し込むこととが容易に繰り返し操作できるようにすることを課題とし、取り扱い易い表示体支持装置を提供することを目的とするものである。
【課題を解決するための手段】
【０００９】
（請求項１の発明）
本発明は上記課題を考慮してなされたもので、略板状にして方形とした表示体支持部と、前記表示体支持部の対向する一組の辺部それぞれに折り部を介して連接され、相互に重ね合わされて表示体支持部の背面側に重ねられる一対の回動板とを備える表示体支持装置であって、
一対の回動板の内の一方の回動板に、スリットの切り込みにより前記折り元側とは反対側に向けて凸の切り起こし片が設けられているとともに、他方の回動板に、前記一方の回動板の切り起こし片の起こしにより形成される開口部に差し入れられて開口縁に係止可能な係止部が設けられていて、
前記開口部に係止部が移動可能に係止して一対の回動板が表示体支持部の背面側で起伏可能とされ、表示体支持部の背面側から起こされて係合し合う一対の回動板で、表示体支持部を後傾状態で支持可能に設けられている表示体支持装置において、
前記一方の回動板における切り起こし片を切り込み形成するスリットは、折り元側から反対側に向けて直線とした平行な二条の第一スリットと、この第一スリットそれぞれの折り元側とは反対側の端部に連続して第一スリットと直角となる第二スリットとにより略コ字形状とされ、
前記他方の回動板における係止部の両端には、係止部基端の両側に切り欠き状の凹み部を設けて、前記第一スリットに対応する位置の開口縁に移動可能に係止する張り出し片が形成され、前記凹み部の対向間隔である係止部基端の幅寸法が、前記第一スリットの対向間隔より小とされているとともに、張り出し片位置での係止部の幅寸法が前記第一スリットの対向間隔より大とされていて、
前記第一スリットそれぞれの折り元側の端部に、第一スリットの対向方向とは反対方向にスリットを延長してなる延長部が設けられていて、該延長部の外側端間の幅寸法が、前記張り出し片位置の係止部の幅寸法より大とされていて、
この延長部は、延長部のスリットの開きにより張り出し片が該延長部を通過する隙間が形成可能とされ、かつ前記張り出し片が前記隙間を通過した後にこの延長部のスリットが閉じられるものであり、
一対の回動板が重ね合わされているときの前記張り出し片の位置が前記スリットが閉じた延長部の近傍での折り元側とされて、前記張り出し片と前記延長部とが離間していることを特徴とする表示体支持装置を提供して、上記課題を解消するものである。
【００１０】
（請求項２の発明）
そして、本発明において、上記表示体支持部は、枠形状の正面板とこの正面板の背面に相対して表示体支持部の背面となる背面板とからなり、前記正面板の対向する一組の辺部それぞれに上記回動板が折り部を介して連接され、正面板の他の一組の辺部の一方の辺部に前記背面板が折り部を介して連接されていて、前記背面板が一対の回動板の少なくとも折り元側に接して、該背面板の後方への倒れ込みが規制されているものとすることが良好である。
【発明の効果】
【００１１】
（請求項１の発明の効果）
請求項１の発明によれば、一方の回動板の切り起こし片の起こしにより形成される開口部に、他方の回動板の係止部が挿入されて、その係止部での張り出し片が前記開口部の開口縁に移動可能に係止するものであるので、回動板それぞれを表示体支持部から起こすことで前記係止部が開口部の開口縁に沿って移動し、開口端（開口での折り元とは反対側の開口端部）に達することで、開口部と係止部とが係合して回動板の開きが規制されるようになるとともに、スリットの切り込みより形成されている切り起こし片が表示体支持部側に向けて撓んだ状態でその先端が係止部側に接するようになって係止部の戻りを抑える。よって、一対の回動板を引き起こすようにすることで、この回動板同士が係合した状態からなる脚が表示体支持部の後ろで形成され、回動板を利用して表示体支持部を支えながら立てることができる。
【００１２】
また、脚を形成している状態において、係止部側に接する上記切り起こし片が、一対の回動板で形成される鈍角の領域で表示体支持部側に撓んでいるため、単に回動板を倒し込む操作で切り起こし片が回動板の内面に簡単に摺接移動し、係止部はほとんど切り起こし片側からの抗力を受けることなく開口部の折り元側に向けて移動し、一対の回動板を表示体支持部の背面に重ね合わせできて、装置全体を簡単に扁平できる。
【００１３】
さらに、切り起こし片を切り込み形成するスリットでの第一スリットそれぞれには、その回動板折り元側の端部に延長部が設けられ、その延長部のスリットが開いて形成される隙間に係止部の張り出し片が通過できるようにしているため、そして、張り出し片が前記延長部近傍位置での回動板折り元側に位置するようにしているため、装置の初期の組立で、一対の回動板それぞれを若干、引き起こしてから、一方の回動板の切り起こし片を表示体支持部側に起こした状態とした部分に、他方の回動板の係止部を差し入れた状態にして、両回動板を再び表示体支持部に重ね合わせるように倒し込めば、切り起こし片の基部に向けて係止部が進み出ることで、その切り起こし片の基部側が若干、押されて延長部のスリットが開いたり、また、張り出し片が延長部に向けて進み出ることで延長部のスリットが押し開かれ、この延長部の開きで形成される隙間を張り出し片が通過して、延長部近傍での回動板側に抜け出ることができる。この後、回動板それぞれを上述したように引き起こすようにすれば、係止部の開口端に向けての移動で張り出し片それぞれは開口縁の位置に移動し、その開口縁に移動可能に係止するようになる。延長部のスリット自体は前記張り出し片の抜け出しが終われば、包材の剛性によって閉じられることとなり、張り出し片の開口端に向けての移動に支障を来すほどの段差をこの延長部の位置では生じない。よって、係止部を開口部に差し入れる操作も頗る簡単なものとなる。
【００１４】
（請求項２の発明の効果）
請求項２の発明によれば、表示体支持部の背面板が一対の回動板に接して支えられている状態となるため、後傾した状態でも背面板の倒れ込みが抑えられて、正面板と背面板との間に適正に印刷物などを保持させることが容易になる。
【図面の簡単な説明】
【００１５】
【図１】本発明に係る表示体支持装置の一実施例を正面側から見た状態で示す説明図である。
【図２】同じく一実施例を一対の回動板を組んで形成した脚側から見た状態で示す説明図である。
【図３】一実施例を展開のブランクの状態で示す説明図である。
【図４】一実施例における一対の回動板が重ね合わされている状態を示す説明図である。
【図５】一実施例を縦断面方向で示す説明図である。
【図６】一実施例における張り出し片によるスリット延長部の通過を示す説明図である。
【図７】他の実施例を一対の回動板を組み起こした形成された脚側から見た状態で示す説明図である。
【図８】他の実施例に一対の回動板が重ね合わされている状態を示す説明図である。
【図９】他の実施例を展開のブランクの状態で示す説明図である。
【発明を実施するための形態】
【００１６】
つぎに本発明を図１から図９に示す実施の形態に基づいて詳細に説明する。
図中１は表示体支持装置で、該表示体支持装置１は、図３に示す紙製のブランクを組み起こしてなるものであり、枠形状にして中央に大きく開口した部分を有し背部に位置させた印刷物を開口を通して表示できる正面板２と、この正面板２の左右方向に相対する辺部の内、一方の辺部に折り部を介して連接されて前記正面板２の背面側に折り重ねられる背面板３とで略板状にして方形の表示体支持部４を形成していて、この表示体支持部４での正面板２と背面板３との間に印刷物を配置できるようにしている。（図１、図５参照）
【００１７】
また、上記正面板２の上下辺部それぞれには、表示体支持部４を後傾した立ち状態にして支える脚を組むための一対の回動板５，６が起伏可能に連接されていて、一方の回動板５が、他方の回動板６を背面板４との間で挟み込むような状態にして他方の回動板６の上に重ね合わされている。（図４）
【００１８】
上記一対の回動板５、６は、この両者を表示体支持部４の後方に向けてその表示体支持部４側からそれぞれを引き起こすことで両者が係合状態で連結されるようにした仕組みを有している。この点を説明すると、まず、一方の回動板５は、その外形状がほぼ表示体支持部４と同様されている。そして、図３で示すように、この一方の回動板５の中央に、この回動板５の折り元側とは反対側（表示体支持装置での下方）に向けて凸となる切り起こし片７がスリット８にて切り込み形成されている。この切り起こし片７は包材の剛性を利用して可撓性を備えていて、表示体支持部４側に向けて切り起こし片７の基端から撓むことができ、後述するように表示体支持部４側に撓むことで切り起こし片７があった位置に開口部９が形成される。
【００１９】
切り起こし片７を切り込み形成するスリット８は、一方の回動板５の折り元側から反対側に凸となる略コ字形状とされ、前記折り元側から反対側に向けて直線となる二条の平行な第一スリット１０と、前記第一スリット１０での折り元側とは反対側の端部（下端側の端部）に連続して、第一スリット１０に対して直角の方向された第二スリット１１とからなるものである。また、図示されているように、前記第一スリット１０での折り元側（上端側）の端部それぞれは、該第一スリットの対向方向とは反対側である回動板５の側辺部側に向けて曲がりながら延長されていて、略円弧状のスリットとした延長部１２を備えている。
【００２０】
一方、回動板６は図示されているように後方に引き起こされて表示体支持部４とで山形状に相対するように傾斜する上記回動板５に対して、表示体支持部４の下端側から渡るようにしているものであり、表示体支持部４と回動板５とで山形形状が得られるように、折り元側から自由端までの寸法が前記回動板５のほぼ半分の寸法としている。そして、この回動板６の自由端側である折り元とは反対側の端部中央に舌片状の係止部１３が連続して設けられている。この係止部１３が上記回動板５での開口部９に係合する部分である。
【００２１】
上記係止部１３にあっては図示されているように、係止部１３の基端の両端（回動板６の幅方向での両端）に切り欠き状の凹み部１４を設けていて、この凹み部１４を設けることで凹み部それぞれの上位に、係止部１３の幅方向に凸となる張り出し片１５が形成される。前記張り出し片１５は、係止部１３が上記開口部９に挿入している状態でその開口部９における第一スリット１０で形成された開口縁１６に移動可能に係止するものである。
【００２２】
張り出し片１５の開口縁１６に対する係止を可能とするため、凹み部１４の対向間隔（係止部基端の幅寸法）Ａは、二条の第一スリット１０の対向間隔Ｂより小（Ａ＜Ｂ）とするとともに、前記張り出し片１５の突端の間隔となる係止部１３の幅寸法Ｃが、第一スリット１０の対向間隔Ｂより大（Ｂ＜Ｃ）とされている。さらに、上述したように上記第一スリット１０の上端側には延長部１２が設けられて、この延長部１２のスリットが開いたときに形成される隙間を張り出し片１５が通過することができるようにするために、対向する延長部１２の最も外側となる外側端の間での幅寸法Ｄに対して、前記係止部１３の幅寸法Ｃが小（Ｃ＜Ｄ）となるように設けられている。
【００２３】
以上のようにして他方の回動板６に設けられている係止部１３を、上記開口部９に通して上記切り起こし片７にて裏当てされた状態にして、一対の回動板５、６が重ね合わされている。そして、回動板５、６を引き起こすようにすることで、係止部１３が開口部９の開口端側に向けて移動する際には、張り出し片１５それぞれが、開口部９の上記開口縁１６に移動可能に係止し、係止部１３の基端が開口部９の開口端に当接することでその移動が規制される。この時点で張り出し片１５それぞれが開口縁１６に係止し、また、切り起こし片７が係止部１３の基端、あるいは基端近傍の回動板６の本体側に当接した状態となり、不用意に係止部が開口端側から離れないようになっている。よって、回動板５と回動板６とが係合して連結されることとなり、両回動板にて脚が形成されて表示体支持部４を後傾状態で立つように支持する。また、回動板５に裏当てされた状態から係止部１３を持ち上げることにより、係止部が開口端を折り元側から反対側に移動し、回動板５、６が引き起こされる。
【００２４】
引き起こされた回動板５，６を表示体支持部４側に重ね戻すには、両回動板５、６を表示体支持部４の背面側に押せばよい。また単に回動板６のスリットから突出した係止部１３を上方に押し上げることで、回動板６が同時に係止部１３によって表示体支持部４側に押されるから、回動板５，６を表示体支持部４側に重ね戻すことができる。係止部１３の張り出し片１５それぞれは再び開口縁１６に案内されて第一スリット１０の上端側に戻るだけであり、また、切り起こし片７も表示体支持部４側に向けて撓んだ状態となっていたものであるから、回動板６の倒し込みに際してその内面に摺接しながら回動板６の内面に重なり合う状態に戻るだけとなる。
【００２５】
両回動板５、６を重ね合わせしたときの状態において係止部１３の張り出し片１５それぞれの位置は、図６に示すように、上記延長部１２の近傍位置での回動板５の折り元側とされていて、前記張り出し片１５と前記延長部１２とが離間する。このように回動板５，６の重ね合わせの時点での張り出し片１５の位置が設定されているため、また上述したように延長部１２においてのスリットが開いた時の隙間を張り出し片が通過できるように設けられていることから、先に説明したように本表示体支持装置の形成に際して、切り起こし片７を若干、表示体支持部４側に撓ませて、その開いた部分に他方の回動板６の係止部１３を配置した状態にし、そして、回動板５、６を共に表示体支持部４側に重ね合わせることで、張り出し片１５が延長部１２に向かって進み出て、この進み出によって延長部１２のスリットが開いて隙間が形成され、その隙間を通って張り出し片１５が延長部位置より若干、回動板５の折り元側に抜け出ることとなり、以降の回動板５、６の引き起こし操作で上述したように張り出し片１５の開口縁１６の係止移動が行なえるものとなる。
【００２６】
表示体支持装置１の上記表示体支持部４は上述したように互いに外形形状が同じである正面板２と背面板３とが相対してなり、この正面板２と背面板３とが折り部を介して連結されている。そして、背面板３に上記一対の回動板５、６とが重ね合わされているとき、および脚を形成するために回動板５，６を引き起こしたときは、背面板３の少なくも回動板折り元側の辺部３ａは、その回動板５，６それぞれの折り元に重なる位置で接している状態となっている。そのため回動板５，６を表示体支持部４の背面側から引き起こして脚を構成している場合でも、背面板３は後方に開くことがなく、表示体支持部４の内部（正面板２と背面板３との間）に配した印刷物を確実に保持できるようにしているものである。（図５参照）
【００２７】
なお図３の展開図では折罫線は一重であるが、図９に示す実施の形態のように、二重の折罫線であってもよい。このように折り部を二重の折罫線からなるものとすれば、表示体支持部４の内部の容積を調整することができるから、膜厚の厚い印刷物や枚数の多い印刷物を保持する場合に有効である。
【００２８】
なお上記実施の形態において、回動板５の正面版２側に、吊り下げのための係止片１７が設けられている。この係止片１７は切り込み又は貼り付けて設けても良い。回動板６の係止部１３を開口部に挿入し回動板５、６を重ね合わせた状態では、回動板が無造作に開くことがない。
【００２９】
上記実施の形態では、正面板２の上辺部に回動板５を連接するとともに、正面板２の下辺部に回動板６を連接していて、回動板５を引き起こすことで表示体支持部４とその回動板５とが山形状になるようにしているものである。しかし、本発明にあって、一対の回動板５，６が正面板２の上下辺部に連接される形態に限定されるものではない。図７〜図９は正面板２の左右辺部に回動板５、６を折り部を介して連接して、この回動板５，６が上記実施の形態と同様に互いに重ね合わせして表示体支持部４の背面に重ねることができるようにした例を示している。
【００３０】
図７〜図９に示す実施の形態は、回動板５、６を正面板２の左右の辺部を回動の中心としてその回動板５，６を引き起こすと、両回動板の連結形態が上方からの平面視で略山形の形状となる脚が形成されるようにしたものであり、上記実施の形態で回動板５の下端が接地する部分としているのに対して、この実施の形態では正面板２の左右の辺部に連接された両回動板５，６の下端が接地部分となるようにしている。また、図９に示すように背面板３は正面板２の下端に折り部を介して連接されて、正面板２の背面側に対応するように折り返されている。
【００３１】
さらに、回動板５、６を引き起こして脚を構成したときに表示体支持部４を後傾させて支持することができるように、回動板５，６それぞれの下端は、その回動板５，６それぞれの折り元とは反対側に向けて上方へ傾斜しており、回動板５、６の平面形態は図示のように折り元とは反対側に向けて先細りする形状とされている。
なお図９の展開図では折罫線は二重であるが、図３に示す実施の形態のように、一重の折罫線であってもよい。
【００３２】
そして、回動板５、６それぞれでは表示体支持部４の幅方向に回動移動するように起伏できるものであり、表示体支持部４の背面に倒し込まれて重ね合わされている回動板５と回動板６とを引き起こしして、この引き起こされた状態で互いに係合して連結した形態によって脚を構成できるようにするための両者の係合機構の構成、及び上記背面板３の倒れ込みを、その背面板３の回動板折り元側の辺部（この例の場合左右の辺部）が回動板それぞれの折り元部分に接して抑えられるようにしている点は、上述した実施の形態と同じであって、引き起こしにより移動する係止部の移動方向、その係止部を案内する開口部の開口縁の方向が左右方向になる点で相違しており、このように方向が相違しているだけで他の点は同様である。
なお、上記実施の形態の何れにおいても延長部を半円の円弧として示しているが、この形状に限定されるものではない。
【符号の説明】
【００３３】
１…表示体支持装置
２…正面板
３…背面板
４…表示体支持部
５、６…回動板
７…切り起こし片
８…スリット
９…開口部
１０…第一スリット
１１…第二スリット
１２…第一スリットの延長部
１３…係止部
１５…張り出し片
１６…開口縁
Ａ…凹み部の対向間隔
Ｂ…第一スリット１０の対向間隔
Ｃ…係止部の幅寸法
Ｄ…延長部外側端間での幅寸法
【図１】
0005707865.tif 000002
【図２】
0005707865.tif 000003
【図３】
0005707865.tif 000004
【図４】
0005707865.tif 000005
【図５】
0005707865.tif 000006
【図６】
0005707865.tif 000007
【図７】
0005707865.tif 000008
【図８】
0005707865.tif 000009
【図９】
0005707865.tif 000010